(57)【要約】  本発明は、持ち手６と、平面状シート７と、プラスチック成形製品とを含む菓子パッケージを対象とする。プラスチック成形製品１は、持ち手６の一端用の空間３から流体分離された菓子用の空間２と、水平な平坦表面５とを含む。持ち手６のオフセット中間部分１１、２２は、その上側端部１３が平面状カバーシート７によって密封され、その下側端部１４がプラスチック成形製品１の壁面部分１６の上側端部１５によって密封され、壁面部分１６は、菓子用の空間２を持ち手６の一端用の空間３から水平方向に分離する。持ち手６の上側端部１３は、平坦表面５より上方に位置決めされる。
2020526462.tif 000002
【特許請求の範囲】
【請求項１】
菓子用の空間２、持ち手６の一端用の空間３、および水平な平坦表面５を含むプラスチック成形製品１であり、前記菓子用の空間２が、前記持ち手６の一端用の空間３から流体分離され、前記持ち手６の一端用の空間３および前記菓子用の空間２が、前記平坦表面５より下方に位置決めされる、プラスチック成形製品１と、
前記プラスチック成形製品１の前記平坦表面５を密封する平面状カバーシート７と、
前記菓子用の空間２内にある冷凍可能または冷凍菓子８の塊と、
前記菓子用の空間２内の前記冷凍可能または冷凍菓子８の塊内に位置決めされる前記持ち手６の内側部分９、および前記持ち手６の一端用の空間３内に位置決めされる、使用時に前記冷凍可能菓子８の塊をユーザが手で保持することを可能にする外側部分１０を含む前記持ち手６であり、前記内側部分９が、オフセット中間部分１１、２２によって前記外側部分１０に接続される、前記持ち手６と、
を含む、菓子パッケージであって、
前記持ち手６の前記中間部分１１、２２の一部分は、その上側端部１３が前記平面状カバーシート７によって密封され、その下側端部１４が前記プラスチック成形製品１の壁面部分１６の上側端部１５によって密封され、前記壁面部分１６が、前記菓子用の空間２を前記持ち手６の一端用の空間３から水平方向に分離し、前記持ち手６の前記上側端部１３が、前記平坦表面５より上方に位置決めされる、菓子パッケージ。
【請求項２】
前記持ち手の前記オフセット中間部分１１が、３つの屈曲部からなり、第１の屈曲部が、前記内側部分９と前記中間部分の間にあって、前記持ち手を前記菓子から前記壁面部分１６の前記上側端部１５に向かって方向付け、第２の屈曲部が、前記上側端部１５に位置し、前記持ち手を前記持ち手６の一端用の空間３に向かって方向付け、第３の屈曲部が、前記持ち手６の前記中間部分１１と前記外側部分１０とを接続し、前記持ち手を前記持ち手６の一端用の空間３の方向に方向付け、前記第２の屈曲部が、前記持ち手６の前記上側端部１３に含まれる、請求項１に記載の菓子パッケージ。
【請求項３】
前記持ち手の前記オフセット中間部分２２が、少なくとも４つの屈曲部からなり、第１の屈曲部２３が、前記内側部分９と前記中間部分の間にあって、前記持ち手を前記菓子から前記平坦表面５に向かって方向付け、第２の屈曲部２４が、前記持ち手の水平部分２５を前記平坦表面５に沿って方向付け、第３の屈曲部２６が、前記持ち手を前記持ち手６の一端用の空間３に向かって方向付け、第４の屈曲部２７が、前記持ち手６の前記中間部分２２と前記外側部分１０とを接続し、前記持ち手を前記持ち手６の一端用の空間３の方向に方向付け、前記持ち手６の前記上側端部１３が、前記持ち手６の水平部分２５に含まれる、請求項１に記載の菓子パッケージ。
【請求項４】
前記持ち手が、丸みのある上側表面と、平坦な下側表面とを有する、請求項１から３のいずれか一項に記載の菓子パッケージ。
【請求項５】
前記持ち手の前記内側部分９および前記外側部分１０が、平行な長手方向に延びる、請求項１から４のいずれか一項に記載の菓子パッケージ。
【請求項６】
前記持ち手の前記内側部分９と前記外側部分１０とが位置合わせされる、請求項５に記載の菓子パッケージ。
【請求項７】
前記内側部分９と前記外側部分１０とが、持ち手６が対称な形状になるように、同じ形状を有する、請求項６に記載の菓子パッケージ。
【請求項８】
前記持ち手の前記内側部分９および前記外側部分１０が、１つまたは複数のスナップ嵌め型コネクタ２８を備える、請求項７に記載の菓子パッケージ。
【請求項９】
前記持ち手６の前記外側部分１０と、前記持ち手６の一端用の空間３の底部１９との間に、空気の隙間１８が存在する、請求項１から８のいずれか一項に記載の菓子パッケージ。
【請求項１０】
前記冷凍可能菓子が、冷凍されていない、請求項１から９のいずれか一項に記載の菓子パッケージ。
【請求項１１】
請求項１から１０のいずれか一項に記載の菓子パッケージを準備するプロセスであって、
（ｉ）持ち手６を、菓子用の空間２、持ち手６の一端用の空間３、および水平な平坦表面５を有するプラスチック成形製品１と組み合わせるステップであり、前記菓子用の空間２が、前記持ち手６の一端用の空間３から流体分離され、前記持ち手６の一端用の空間３および前記菓子用の空間２が、前記平坦表面５より下方に位置決めされる、ステップと、
（ｉｉ）前記菓子用の空間２に未冷凍の冷凍可能菓子を液体として追加するステップと、
（ｉｉｉ）平面状カバーシート７によって、前記プラスチック成形製品１の前記水平な平坦表面５、および前記持ち手６の上側端部１３を密封するステップと、
を含む、プロセス。
【請求項１２】
前記ステップ（ｉｉ）において、前記未冷凍の冷凍可能菓子が、前記水平な平坦表面５によって規定される高さまで追加される、請求項１１に記載のプロセス。
【請求項１３】
熱形成によって前記プラスチック成形製品を提供するプラスチック成形製品形成ステーションと、持ち手配置ステーションと、未冷凍菓子装荷ステーションと、密封ステーションと、切断ステーションとを含む、熱形成装置を使用する、請求項１１から１２のいずれか一項に記載のプロセス。
【請求項１４】
前記プラスチック成形製品形成ステーションが、３Ｄ印刷によって得られる型を利用する、請求項１３に記載のプロセス。
【請求項１５】
前記密封ステーションが、３Ｄ印刷によって得られる密封型３０を利用する、請求項１３から１４のいずれか一項に記載のプロセス。
【発明の詳細な説明】
【技術分野】
【０００１】
本発明は、冷凍可能菓子または冷凍菓子で充填された菓子用の空間と、持ち手の一端用の空間とを有するプラスチック成形製品を含む菓子パッケージを対象とする。菓子用の空間および持ち手の一端用の空間は、平坦表面より下方に位置決めされ、平面状カバーシートで、この平面状の成形製品を密封する。
【背景技術】
【０００２】
特許文献１には、菓子用の空間および持ち手の一端用の空間が流体接続されている、このような菓子パッケージが記載されている。菓子用の空間内にある菓子は、冷凍形態であり、したがって、持ち手用の空間に流入しない。問題は、例えば菓子の一部が溶けたときなどに、冷凍菓子の一部が、持ち手用の空間に入る可能性があることである。
【０００３】
このような菓子パッケージは、特許文献２にも記載されている。この文献には、持ち手を備えた冷凍菓子用のチャンバからなる菓子パッケージが記載されている。このような製品は、棒付きアイスキャンデーとも呼ばれる。冷凍菓子用のチャンバは、文字の外観を有する。持ち手の外側部分は、溝内に配置される。溝と、菓子用のチャンバとは、パッケージの１つの部分にある。平面状シールが、このパッケージのチャンバおよびスロットを、それらの上側端部で密封する。持ち手は、持ち手の外側部分にある同じ形状の開口によってロックする、溝内にあるペグによって適所に保持される。
【０００４】
特許文献３に記載される菓子パッケージは、特許文献２と同様の構造を有する。
【先行技術文献】
【特許文献】
【０００５】
【特許文献１】英国特許出願２０１７５３２７号
【特許文献２】米国特許第４００１４４０号
【特許文献３】実開昭５４−１３４１８４
【特許文献４】ＧＢ８６６５５７
【特許文献５】米国特許第３００５２８２号
【特許文献６】米国特許第４５５２５４１号
【特許文献７】米国特許第４７４４７８０号
【特許文献８】米国特許第４９１９６３５号
【特許文献９】米国特許第５２３０１９５号
【特許文献１０】米国特許第５４７１８０８号
【特許文献１１】米国特許出願第２０１１／０４５７３３号
【特許文献１２】米国特許出願第２０１６／２６３４８９号
【特許文献１３】米国特許出願第２０１４／２２７９３７号
【発明の概要】
【発明が解決しようとする課題】
【０００６】
特許文献２の菓子パッケージの欠点は、菓子が産業包装プロセスにおいて冷凍される前に、液状の菓子が溝に流入する可能性があることである。これにより見た目が悪くなり、これは、商用の菓子パッケージとしては望ましくない。本発明の目的は、液状の菓子が持ち手の外側部分に向かって流れる危険性を制限した、菓子パッケージを提供することである。
【課題を解決するための手段】
【０００７】
これは、
菓子用の空間、持ち手の一端用の空間、および水平な平坦表面を含むプラスチック成形製品であり、菓子用の空間が、持ち手の一端用の空間から流体分離され、持ち手の一端用の空間および菓子用の空間が、平坦表面より下方に位置決めされる、プラスチック成形製品と、
プラスチック成形製品の平坦表面を密封する平面状カバーシートと、
菓子用の空間内にある冷凍可能または冷凍菓子の塊と、
菓子用の空間内の冷凍可能または冷凍菓子の塊内に位置決めされる持ち手の内側部分、および持ち手の一端用の空間内に位置決めされる、使用時に冷凍可能菓子の塊をユーザが手で保持することを可能にする外側部分を含む持ち手であり、内側部分が、オフセット中間部分によって外側部分に接続される、持ち手と、
を含む、菓子パッケージであって、
持ち手の中間部分の一部分は、その上側端部が平面状カバーシートによって密封され、その下側端部がプラスチック成形製品の壁面部分の上側端部によって密封され、壁面部分が、菓子用の空間を持ち手の一端用の空間から水平方向に分離し、持ち手の上側端部が、平坦表面より上方に位置決めされる、菓子パッケージによって達成される。
【０００８】
出願者等は、オフセット中間部分を、プラスチック成形製品の平坦表面より上方に位置付けることによって、液体バリヤが生じ、それにより液状の菓子が菓子用の空間から持ち手の一端用の空間に流れることが回避されることを発見した。
【０００９】
本発明、およびさらなる利点について、以下でさらに説明する。以下の説明では、上側、下側、水平、垂直、上方、および下方のような用語は、菓子パッケージが未冷凍の菓子で満たされているときの菓子パッケージの好ましい姿勢を指している。これらの用語は、菓子パッケージをより明確に説明するために使用したものであり、本発明をこの姿勢の菓子パッケージのみに限定することを意図したものではない。
【００１０】
持ち手のオフセット中間部分は、３つの屈曲部からなると適当であることがあり、この場合、第１の屈曲部は、内側部分と中間部分の間にあって、持ち手を菓子から壁面部分の上側端部に向かって方向付け、第２の屈曲部は、この上側端部に位置し、持ち手を持ち手の一端用の空間に向かって方向付け、第３の屈曲部は、持ち手の中間部分と外側部分とを接続し、持ち手を持ち手の一端用の空間の方向に方向付け、第２の屈曲部は、持ち手の上側端部に含まれる。
【００１１】
あるいは、持ち手のオフセット中間部分は、少なくとも４つの屈曲部からなると適当であることもあり、この場合、第１の屈曲部は、内側部分と中間部分の間にあって、持ち手を菓子から平坦表面に向かって方向付け、第２の屈曲部は、持ち手の水平部分を平坦表面に沿って方向付け、第３の屈曲部は、持ち手を持ち手の一端用の空間に向かって方向付け、第４の屈曲部は、持ち手の中間部分と外側部分とを接続し、持ち手を持ち手の一端用の空間の方向に方向付け、持ち手の上側端部は、持ち手の水平部分に含まれる。
【００１２】
持ち手は、冷凍菓子に接合するのに適し、ユーザが手で保持するのに適した持ち手になる形状であれば、いかなる形状であってもよい。好ましくは、持ち手は、中間部分と、上述の水平部分とを含み、中間部分または水平部分は、丸みのある上側表面と、平坦な下側表面とを有する。丸みのある上側表面は、平面状カバーシートによる効率的な密封を保証し、平坦な下側部分は、この平坦な部分がプラスチック成形製品の壁面部分の好ましくは水平である部分に載置されたときに液体バリヤを確保する。好ましくは、持ち手全体が、丸みのある上側表面と、平坦な下側表面とを有する。
【００１３】
棒付きアイスキャンデーは、菓子パッケージから取り出されたときに、実際上の理由から、菓子の塊から遠ざかるように延びる外側部分を備えた持ち手を有する。持ち手の内側部分は、菓子の塊の中の中心、またはほぼ中心にあるのが適当である。持ち手の内側部分および外側部分は、平行な長手方向に延びることがある。ただし、持ち手の内側部分および外側部分が、角度をなすように位置決めされることが排除されるわけではない。好ましい持ち手は、持ち手の外側部分と位置合わせされた内側部分を有する。さらに好ましくは、内側部分と外側部分とは、持ち手が対称な形状になるように、同じ形状を有する。対称な形状を有する持ち手は、プラスチック成形製品内への持ち手の自動配置が簡略になるので好ましい。すなわち、持ち手を配置するために使用される可能性がある、いわゆるピックアンドプレース式装置は、持ち手を１方向に配向する必要がなく、持ち手の一端用の空間および菓子用の空間内に無作為に持ち手を位置決めすればよい。
【００１４】
持ち手の内側部分および外側部分は、１つまたは複数のスナップ嵌め型コネクタを備える。持ち手の内側部分の表面に開口または延長部があれば、菓子と持ち手とのより緊密な接合を保証することができる。スナップ嵌め型コネクタには、ユーザが菓子を食べた後で複数の持ち手をつなげて持ち手で遊ぶことができるという利点がある。これは、ユーザが持ち手をとっておく可能性が高くなり、持ち手を捨てて環境を汚染しなくなるので、環境にとって好ましい。コネクタは、スナップ嵌め方式で接続することができる雄型要素および雌型要素からなることが好ましい。このようなコネクタは、周知であり、例えば特許文献４、特許文献５、特許文献６、特許文献７、特許文献８、特許文献９、特許文献１０、特許文献１１、特許文献１２、および特許文献１３に記載されている。雄型要素は、持ち手の上側および／または下側にある延長部であることが好ましく、円筒形または円錐台形の外側表面を有する。雌型要素は、雄型要素を受けて、その雄型要素とのスナップ嵌め接続を生じることができる任意の設計の開口とすることができる。これらのコネクタは、複数の持ち手の様々な配置が可能になるように、離間していることが好ましい。スナップ嵌め接続は、２つの持ち手を１つのスナップ嵌め接続で接続したときに、その接続に沿った枢動が可能になっていることが好ましい。
【００１５】
持ち手の外側部分と、持ち手の一端用の空間の底部との間に、空気の隙間が存在すると適当である。これにより、持ち手が持ち手の一端用の空間の底部に凍結する可能性が回避される。
【００１６】
冷凍可能菓子は、冷凍されていても、冷凍されていなくてもよい。菓子パッケージは、周囲温度で保管および流通することができ、この場合には、菓子は冷凍されていない。例えば、エンドユーザが、自宅で食べる直前に未冷凍の菓子を冷凍してもよい。プラスチック成形製品の持ち手の菓子用の空間と持ち手の一端用の空間とは、流体接続されていないので、液状の菓子が持ち手の一端用の空間に流入する危険性は低い。
【００１７】
プラスチック成形製品は、ポリエステル、ポリオレフィン、ポリプロピレン、ポリスチレン、およびポリアミドで構成されたものなどの高分子材料で構成することができる。特に好ましいのは、ＭＰ３００（ポーランド、Ｗｉｐａｋ社）という登録商標で販売されているものなど、非晶質ポリエステルおよびポリオレフィンの同時押出シートである。平面状カバーシートは、例えばポリエステルフィルム、特にＢＩＡＸＥＲ（ポーランド、Ｗｉｐａｋ社）という登録商標で販売されているものなどの二軸延伸ポリエステルフィルムなど、プラスチックフィルムであってもよい。フィルムを、例えばアルミニウムで金属化して、パッケージの絶縁性を高めてもよい。
【００１８】
本発明は、また、本発明による菓子パッケージを準備するプロセスも対象とする。このプロセスは、
（ｉ）持ち手を、菓子用の空間、持ち手の一端用の空間、および水平な平坦表面を有するプラスチック成形製品と組み合わせるステップであり、菓子用の空間が、持ち手の一端用の空間から流体分離され、持ち手の一端用の空間および菓子用の空間が、平坦表面より下方に位置決めされる、ステップと、
（ｉｉ）菓子用の空間に未冷凍の冷凍可能菓子を液体として追加するステップと、
（ｉｉｉ）平面状カバーシートによって、プラスチック成形製品の水平な平坦表面、および持ち手の上側端部を密封するステップと、を含む。
【００１９】
ステップ（ｉｉ）において、未冷凍の冷凍可能菓子が、水平な平坦表面によって規定される高さまで追加されると適当である。
【００２０】
プラスチック成形製品は、例えば射出成形、ブロー成形、または回転成形など、任意の既知の製造方法で製造することができ、好ましくは、フィルムおよび型を用いる熱形成で製造される。使用する型は、任意の形状を有することができ、任意の材料で構成することができる。通常は、この方は、金属製であり、１つまたは複数の機械加工ツールを用いる管理された材料除去プロセスによって型を製造する除去製造法で形成される。この方法は、時間がかかり、大量の同じプラスチック成形製品を製造するのに適した型を製造するときに使用するのが好ましい。様々な設計を有する本発明によるプラスチック成形製品を少量だけ製造したいときには、３Ｄ印刷とも呼ばれる付加製造によって型を製造することが好ましい。出願者等は、３Ｄ印刷を使用することにより、プラスチック成形製品を比較的少数製造するのに経済的に使用することができるオーダーメイドの形状を有する型を簡単に製造することができることを発見した。
【００２１】
上記の３Ｄ印刷は、自分のコンピュータのところにいるクライアントがデータ通信ネットワークを介して型の製造業者の制御下にあるコンピュータにデータを伝送することができる方法で、特に使用される。クライアントコンピュータは、従来のデスクトップコンピュータ、ラップトップ、またはタブレット、あるいはスマートフォンなどのモバイルデバイスであってよく、型の製造業者のコンピュータから遠隔であることが好ましい。ネットワークを介して伝送されるデータは、冷凍菓子の形状、したがってプラスチック成形製品の形状を表すものである。これは、型の製造業者がそれを解釈して３Ｄモデルを形成する写真またはその他の２次元グラフィックの形態であってもよいし、３Ｄモデル自体のデジタル表現の形態であってもよい。データ通信ネットワークは、通常はインターネットである。
【００２２】
供給業者がこのデータを受信し、このデータが、次いで熱形成プロセスで使用される型の製造のために準備される。３Ｄモデル最適化段階が、このプロセスに含まれることもあり、その場合、最適化は、以下のステップのうちのいずれか１つを含むこともある。
ｉ）オブジェクトの２Ｄ表現から３Ｄモデルへの変換。これは、画像処理ソフトウェアによって自動的に実行してもよいし、あるいは人間の作業員からの入力を含む、または人間の作業員からの入力からなっていてもよい。
ｉｉ）プラスチック成形製品を凝固後に型から容易に取り外すことができることを保証するための、このようにして作製された、または供給業者から受け取った３Ｄモデルのアンダーカットの除去。
ｉｉｉ）除去しないとプラスチック成形製品の縁部に不要な材料を残す可能性がある不要または不必要な背景情報または画像コンテンツの除去。
ｉｖ）３つの次元全てにおいてアスペクト比を維持する、あるいはこの３Ｄ印刷によって形成ステーションに収容することができる型が生成され、かつ／または所望の型容積が生じるように、１つまたは２つの次元を選択的にスケーリングする、３Ｄモデルのスケーリング。
【００２３】
３Ｄモデルの最適化に続いて、３Ｄ印刷を用いて型を作製する。いくつかの３Ｄ印刷技術を、当業者（skilled addressee）は、プラスタ（例えば米国３Ｄ  ｓｙｓｔｅｍｓ社製の「ＰｒｏＪｅｔ（Ｒ）  ６６０  Ｐｒｏ」という登録商標で販売されている３Ｄプリンタを用いる）、熱可塑性樹脂、光重合ポリマー、または熱焼結材料など、ある範囲の材料の印刷に利用することができる。特に好ましい実施形態では、型は、ポリアミドの粉末組成物および粉末アルミニウムを含む、Ａｌｕｍｉｄｅ（Ｒ）という登録商標販売されている材料などの材料の熱焼結（好ましくはレーザによる）を用いて作製される。発明者等は、このようなプロセスおよび材料により、熱形成プロセス中にさらされる温度に特に効果的に耐えることができる型が作製されることを発見した。
【００２４】
上述のように低い熱伝導率を有する材料を用いて３Ｄ印刷によって型を作製するときには、型は、型の成形製品に向く側を反対側と流体接続するいくつかの開口を備えることが好ましい。型の厚さは、０．５ｍｍから５ｍｍの間であることが好ましい。穴は、通常は、直径が２ｍｍ未満であり、直径が１ｍｍ未満であることが好ましい。これらの開口により、形成プロセス中に型から空気を逃がすことができる。この方は、冷却空気を通すためのチャネルを備えるとさらに適当である。型を冷却することにより、成形製品が型の中で所望の形状に凝固しやすくなる。
【００２５】
プラスチック成形製品を形成するためには、熱可塑性材料のシートを型の上に配置し、この材料をその軟化点超に加熱しながら、このシート材料の上で圧力差を生じさせる。圧力差は、通常は、赤外線源によって加熱を行いながら、シートの下方で真空ポンプ（ｖａｃｕｕｍ）を使用して生じさせる。この型形成プロセスは、当技術分野では、真空成形として周知である。成形材料を形成するための特に好ましい材料は、ポリエステル、ポリオレフィン、ポリプロピレン、ポリスチレン、およびポリアミドで構成された材料などのシート状高分子材料である。特に好ましいのは、ＭＰ３００（ポーランド、Ｗｉｐａｋ社）という登録商標で販売されているものなど、非晶質ポリエステルおよびポリオレフィンの同時押出シートである。これらのシート状材料は、好ましくは１ｍｍ未満の厚さを有し、さらに好ましくは１００ミクロンから５００ミクロンの間の厚さを有する。
【００２６】
上述した熱形成プロセス、および上述した菓子パッケージを製造するプロセスは、熱形成によってプラスチック成形製品を提供するプラスチック成形製品形成ステーションと、持ち手配置ステーションと、未冷凍菓子装荷ステーションと、密封ステーションと、切断ステーションとを含む、自動熱形成装置で実行されるのが適当である。
【図面の簡単な説明】
【００２７】
【図１】本発明による菓子パッケージの３つの要素を、別個の品目として、概略的に示す図である。
【図２】図１の３つの品目を、１つに組み合わせた菓子パッケージとして示す図である。
【図３】図２の菓子パッケージを示す上面図である。
【図４】本発明による菓子パッケージの見え方の例を示す図である。
【図５】持ち手を示す図である。
【図６】図４の菓子パッケージを示す立体図である。
【図７】図５の持ち手を示す上面図である。
【図８】図５の持ち手を示す底面図である。
【図９】平面状シートによって平坦表面および持ち手の水平部分の上側を密封するために使用される、密封型を示す図である。
【発明を実施するための形態】
【００２８】
本発明について、図１〜図９を利用してさらに説明する。
【００２９】
図１は、本発明による菓子パッケージの３つの要素を、別個の品目として、すなわち平面状カバーシート７、持ち手６、およびプラスチック成形製品１として、概略的に示す図である。図２は、これら３つの品目を、１つに組み合わせた菓子パッケージとして示す図である。
【００３０】
プラスチック成形製品１は、菓子用の空間２と、持ち手６の一端用の空間３と、水平な平坦表面５とを有する。菓子用の空間２は、上側端部１５を有する壁面部分１６によって、持ち手６の一端用の空間３から流体分離されている。持ち手６の一端用の空間３と、菓子用の空間２とは、平坦表面５よりも下方に位置決めされている。
【００３１】
持ち手６は、持ち手６の内側部分９と、使用時に冷凍可能菓子８の塊をユーザが手で保持することを可能にする外側部分１０とを有する。持ち手は、オフセット中間部分１１を備える。持ち手６のオフセット中間部分１１は、３つの屈曲部からなり、第１の屈曲部１６は、水平な内側部分９と中間部分１１の間にあって、持ち手６を上方に向ける部分であり、第２の屈曲部１２は、持ち手６を下方に向ける部分であり、第３の屈曲部１７は、持ち手６の中間部分１１と外側部分１０とを接続する、持ち手を水平方向に向ける部分である。
【００３２】
図１の持ち手の内側部分９および外側部分１０は、平行な長手方向に延び、位置合わせされ、同じ形状を有する。持ち手６は、対称な形状を有する。
【００３３】
図２には、これら３つの品目がどのように組み合わされるかが示してある。オフセット中間部分１１は、その上側端部１３を平面状カバーシート７で密封され、その下側端部１４を壁面部分１６の上側端部１５で密封される。平面状カバーシート７は、プラスチック成形製品１の平坦表面５も密封する。冷凍可能菓子または冷凍菓子８の塊は、菓子用の空間２内にある。持ち手６の外側部分１０と、持ち手６の一端用の空間３の底部１９との間には、空気の隙間１８がある。図２には、持ち手６の上側端部１３が平坦表面５より上方に位置決めされていることも示してある。
【００３４】
図３は、図２の菓子パッケージを示す上面図である。番号の意味は、図１〜図２と同じである。
【００３５】
図４は、本発明による菓子パッケージの見え方の例を示す図である。図４は、図２の図と同様の、菓子パッケージの断面図である。同様の構成要素には、図１〜図３と同じ番号を付してある。図１〜図３との違いは、図５に示すように、持ち手２１が、４つの屈曲部からなる中間部分２２を有することである。４つの屈曲部は、内側部分９と中間部分２２の間にあって、持ち手を菓子から平坦表面５に向ける第１の屈曲部２３、持ち手２１の水平部分２５を平坦表面５に沿うように方向付ける第２の屈曲部、持ち手２１を持ち手２１の一端用の空間３に向かって方向付ける第３の屈曲部２６、持ち手２１の中間部分２２と外側部分１０とを接続する、持ち手を空間３の方向に向ける第４の屈曲部２７である。持ち手２１は、スナップ嵌めコネクタの雄型コネクタ２８をさらに備える。図６は、図４の菓子パッケージを示す立体図である。ただし、カバーシート７は示していない。
【００３６】
図７は、図５の持ち手２１を示す上面図であり、図８は、図５の持ち手２１を示す底面図である。図８には、別の持ち手２１にある４つの雄型コネクタ２８のうちのいずれかとスナップ嵌め接続を形成することができる４つの雌型コネクタ２９が示してある。したがって、これらの雄型コネクタ２８および雌型コネクタ２９によって相互接続された複数の持ち手を用いて、タワー、橋、および建造物などの構造を作成することもできる。
【００３７】
図９は、平面状シート７によって平坦表面５および持ち手２１の水平部分２５の上側を密封するために使用される、密封型３０を示す図である。密封型３０は、ガスケット溝３１、およびプレスブロック３２を備える。プレスブロック３２は、水平部分２５の下側部分によって壁面部分１６の上側端部１５をプレスして密封する。密封型３０は、図１、図２、図４、および図６に示す成形製品１を製造するために使用される型について説明したのと同じ製造技術によって製造することができる。この型を３Ｄ印刷によって製造する場合には、密封型３０も３Ｄ印刷で製造することが好ましい。
【符号の説明】
【００３８】
１  プラスチック成形製品
２  菓子用の空間
３  持ち手の一端用の空間
５  水平な平坦表面
６  持ち手
７  平面状カバーシート
８  冷凍可能または冷凍菓子
９  内側部分
１０  外側部分
１１  オフセット中間部分
１２  第２の屈曲部
１３  上側端部
１４  下側端部
１５  上側端部
１６  壁面部分／第１の屈曲部
１７  第３の屈曲部
１８  空気の隙間
１９  底部
２１  持ち手
２２  オフセット中間部分
２３  第１の屈曲部
２４  第２の屈曲部
２５  水平部分
２６  第３の屈曲部
２７  第４の屈曲部
２８  スナップ嵌めコネクタの雄型コネクタ
２９  スナップ嵌めコネクタの雌型コネクタ
３０  密封型
３１  ガスケット溝
３２  プレスブロック
【図１】
2020526462.tif 000003
【図２】
2020526462.tif 000004
【図３】
2020526462.tif 000005
【図４】
2020526462.tif 000006
【図５】
2020526462.tif 000007
【図６】
2020526462.tif 000008
【図７】
2020526462.tif 000009
【図８】
2020526462.tif 000010
【図９】
2020526462.tif 000011
【国際調査報告】
2020526462.tif 000012
2020526462.tif 000013
2020526462.tif 000014